(57)【特許請求の範囲】
【請求項１】
容器本体と、この容器本体を開閉する外蓋と、容器本体内を隔壁によって２つの収納部に隔成し、一方の収納部内に脱着自在に収納される中皿と、この中皿に設けられてこれを開閉する内蓋と、外蓋から突設されて前記容器本体に係脱される第１フックと、内蓋から突設されて前記中皿に係脱される第２フックとを備え、これら第１フックと第２フックの係合を解除するためのプッシュピースを容器本体に回動可能に取付け、このプッシュピースに、これを回動させるべく操作される操作部と、このプッシュピースの回動により前記第１フックおよび前記第２フックの係合をそれぞれ解除する第１解除部および第２解除部とを設けたことを特徴とする化粧料容器。
【請求項２】
前記プッシュピースの第１解除部と第２解除部との間に、第１フックを解除させた後に第２フックを解除する解除タイミング調整手段を設けたことを特徴とする請求項１に記載の化粧料容器。
【発明の詳細な説明】
【０００１】
【発明の属する技術分野】
本発明は、携帯容易に化粧料を収納する化粧料容器に関する。
【０００２】
【従来の技術】
一般に、化粧料の携帯用に化粧料容器が用いられるが、この化粧料容器は容器本体内に化粧料を収納すると共に、容器本体の後端部に開閉自在に蝶着される外蓋で容器本体上側を全体的に覆うようになっている。そして、容器本体と外蓋との前端部間に設けられるフック機構で外蓋の閉止状態が保持され、かつ、このフック機構を解除するための操作ボタンが容器本体の前端部から突出されるのが一般的な構造となっている。
【０００３】
ところで、この種の化粧料容器としては実開昭５８−４００３号公報に開示されるように、容器本体の収納部内に脱着可能な中皿を収納するようにしたものがある。即ち、前記中皿は皿状の容器に内蓋がヒンジ結合されることにより構成され、容器本体の外蓋が閉位置にあるときに、内蓋が外蓋で押圧されて、内蓋の閉止状態が保持されるようになっている。従って、前記中皿は内蓋と外蓋との二重構造をもって閉止されるため、中皿内の化粧料が外方に漏れるのを確実に防止できるようになっている。
【０００４】
【発明が解決しようとする課題】
しかしながら、かかる従来の化粧料容器にあっては、中皿内の化粧料を使用する際に、まず容器本体の外蓋を開いた後に、この中皿の内蓋を開くという二度手間となり、従って、蓋体の閉動時の操作性が不便であるという課題があった。
【０００５】
そこで、本発明はかかる従来の課題に鑑みて、外蓋と中蓋とを一度の操作で開けられるようにして、二重構造となった蓋体の開動操作性を容易化することができる化粧料容器を提供することを目的とする。
【０００６】
【課題を解決するための手段】
かかる目的を達成するために請求項１の発明は、容器本体と、この容器本体を開閉する外蓋と、容器本体内を隔壁によって２つの収納部に隔成し、一方の収納部内に脱着自在に収納される中皿と、この中皿に設けられてこれを開閉する内蓋と、外蓋から突設されて前記容器本体に係脱される第１フックと、内蓋から突設されて前記中皿に係脱される第２フックとを備え、これら第１フックと第２フックの係合を解除するためのプッシュピースを容器本体に回動可能に取付け、このプッシュピースに、これを回動させるべく操作される操作部と、このプッシュピースの回動により前記第１フックおよび前記第２フックの係合をそれぞれ解除する第１解除部および第２解除部とを設ける構成とする。
【０００７】
また、請求項２の発明は、前記プッシュピースの第１解除部と第２解除部との間に、第１フックを解除させた後に第２フックを解除する解除タイミング調整手段を設ける構成とする。
【０００８】
以上の構成により請求項１にかかる化粧料容器は、容器本体を開閉する外蓋および容器本体内の一方の収納部に別途着脱自在に収納される中皿を開閉する内蓋が共に閉止された状態でプッシュピースの操作部を操作することにより、このプッシュピースが回動して第１解除部によって第１フックの係合を解除すると共に、第２解除部によって第２フックの係合を解除する。このように第１，第２フックが係合解除されることにより、外蓋および内蓋の双方を開けることができる。従って、前記外蓋および前記内蓋はプッシュピースの一度の操作で一挙に開動させることができるため、二重構造となった蓋体の開動操作が著しく簡単化される。
【０００９】
また、請求項２にかかる化粧料容器では、前記プッシュピースの第１解除部と第２解除部との間に設けた解除タイミング調整手段により、第１フックを解除した後に第２フックが解除されるため、外蓋を開けた後に操作部を更に操作することにより内蓋を開けることができる。従って、前記操作部の操作量によって外蓋と内蓋との二段開動が可能となり、かつ、第１，第２フックの解除力を段階的に分散できるため、前記操作部の操作力が小さくて済むことになる。
【００１０】
【発明の実施の形態】
以下、本発明の実施形態を添付図面を参照して詳細に説明する。図１から図６は本発明の化粧料容器の一実施形態を示し、図１は外蓋を開いた状態の平面図、図２は外蓋を開いた容器本体からプッシュピースを取出した分解斜視図、図３は内蓋を閉じて一部を破断した中皿の斜視図、図４は外蓋および内蓋を閉じた状態の図１中Ａ−Ａ線に対応する拡大断面図、図５は外蓋および内蓋を閉じた状態の図１中Ｂ−Ｂ線に対応する拡大断面図、図６は外蓋および内蓋を開けた状態の図６に対応する断面図である。
【００１１】
即ち、本実施形態の化粧料容器１０は図１，図２に示すように、容器本体１２と、この容器本体１２の後方端部に第１蝶番１４を介して蝶着される外蓋１６とを備える。容器本体１２は側壁１２ａと底面１２ｂとを備えた皿状を成しており、この容器本体１２の内側は左右方向略中央に前後方向を指向して配置される仕切り壁１２ｃによって２つの収納部に隔成され、この仕切り壁１２ｃの左側が化粧料を収納するレフィル容器１８の脱着収納部１２ｄとされ、右側がパフ等の化粧具収納部１２ｅとして構成される。前記仕切り壁１２ｃの略中央部には凹設部１２ｆが形成されている。
【００１２】
前記第１蝶番１４は、容器本体１２の後端部中央に形成される凹部１４ａに、外蓋１６の後端部中央に形成される凸部１４ｂが嵌合され、これら凹部１４ａと凸部１４ｂとに跨がって両側から蝶番ピン１４ｃが挿入されることにより構成される。また、前記外蓋１６には先端部中央から第１フック２０が突設され、この第１フック２０は外蓋１６の閉じ状態で容器本体１２の前端中央部に設けた第１凸部２２に係脱可能に係合され、この係合状態で外蓋１６の閉止状態が保持される。前記第１凸部２２は側壁１２ａに形成した凹設部１２ｇに設けられる。また、前記外蓋１６の裏面に形成された凹部１６ａにバニティミラーＭが嵌合固定されている。
【００１３】
前記レフィル容器１８は取換え用の容器として用いられ、図３に示すように化粧料が充填される中皿としての皿部本体２４と、この皿部本体２４の上面を閉止する内蓋２６とを備える。内蓋２６は一端部が第２蝶番２８を介して皿部本体２４に開閉可能に蝶着されるようになっている。前記第２蝶番２８は、内蓋２６の端部中央に形成された凹部２８ａに、皿部本体２４から突設される凸部２８ｂが嵌合され、これら凹部２８ａと凹部２８ｂとに跨がって蝶番ピン２８ｃが挿入されることにより構成される。
【００１４】
また、前記内蓋２６の開放端部中央部に第２フック３０が垂設され、この第２フック３０は皿部本体２４に設けた第２凸部３２に係脱可能に係合され、この係合状態で内蓋２６の閉止状態が保持される。前記第２凸部３２は皿部本体２４に形成した凹設部２４ａに形成され、かつ、内蓋２６の閉じ状態でこの凹設部２４ａ内に前記第２フック３０が収納されるようになっている。
【００１５】
前記レフィル容器１８は前記第２蝶番２８と前記第２フック３０とが左右方向に配置されるようにして、皿部本体２４の外側が前記容器本体１２の脱着収納部１２ｄに略密接して嵌合される。ところで、前記内蓋２６は第２蝶番２８および第２フック３０が設けられない前後方向の両側縁２６ａ，２６ｂが皿部本体２４から突出するように幅広に形成され、この幅広となった両側縁２６ａ，２６ｂは、レフィル容器１８が脱着収納部１２ｄに嵌着された状態で容器本体１２の側壁１２ａ上端に位置されるようになっている。また、前記内蓋２６の裏面には皿部本体２４内の気密性を保持するためのシール部材３４が取付けられると共に、内蓋２６の開放端部の上面中央部には閉め忘れ防止用の凸部２６ｃが突設されている。
【００１６】
前記皿部本体２４の左右両側壁外面には、左側に１箇所，右側に２箇所の係合凹部３６，３６…が形成されると共に、前記脱着収納部１２ｄを区画する側壁１２ａの内面および仕切り壁１２ｃに前記係合凹部３６，３６…に対応して係合凸部３８，３８…が形成され、これら係合凹部３６と係合凸部３８とが係合されることにより、脱着収納部１２ｄに前記レフィル容器１８が嵌合され、かつその脱落が防止されるようになっている。また、図２に示したように前記脱着収納部１２ｄの底面１２ｂの左端部には、指が通る程度の開口部４０が形成されている。
【００１７】
ここで、本実施形態にあっては図１に示したように、容器本体１２の前端部中央部に形成した凹設部１２ｇに、前記第１フック２０と前記第２フック３０の係合を解除するためのプッシュピース４２を設ける。プッシュピース４２は図２に示したように前記凹設部１２ｇの幅Ｗと略等しい長さＬに形成され、上端部に形成された割り穴形状の回動穴４２ａが、前記凹設部１２ｇの両側内面から突設された一対の支軸４４，４４に嵌着され、これら支軸４４，４４を中心に回動可能に取付けられる。
【００１８】
前記プッシュピース４２の下端部には若干前方に突出させて操作部４６が設けられると共に、上端部には右端部に位置して水平方向後方に突出される第１解除部４８、および左端部に位置して水平方向後方に突出される第２解除部５０が設けられる。第１解除部４８は図１に示したように前記凹設部１２ｇの第１凸部２２が形成された面までの長さに設定される一方、第２解除部５０は凹設部１２ｇの上側に形成された切欠部１２ｈを通ってレフィル容器１８の皿部本体２４に達する長さに設定され、第１解除部４８の先端部は外蓋１６の下方に位置し、かつ、第２解除部５０の先端部は内蓋２６の下方に位置する。
【００１９】
以上の構成により本実施形態の化粧料容器１０にあっては、外蓋１６および内蓋２６が閉止された状態では、図５に示すように第１フック２０が第１凸部２２に係合されると共に、図４に示すように第２フック３０が第２凸部３２に係合されている。そして、この状態から容器本体１２の前端部中央に設けたプッシュピース４２の操作部４６を押込むことにより、このプッシュピース４２は支軸４４，４４を中心に回動して、第１，第２解除部４８，５０を上方に持上げる。すると、外蓋１６および内蓋２６には前記第１，第２解除部４８，５０から上方への押上げ力が作用して、第１フック２０と第１凸部２２との係合および第２フック３０と第２凸部３２との係合がそれぞれ解除され、図６に示すように外蓋１６および内蓋２６は若干開動される。この状態で外蓋１６を手によって大きく開いた後、内蓋２６を開けることにより、レフィル容器１８内に収納された化粧料の使用が可能となる。
【００２０】
前記第１，第２フック２０，３０の解除により外蓋１６と内蓋２６とが開動される際、図６に示したように内蓋２６の後方側角部で外蓋１６の裏面（本実施形態ではバニティミラーＭの鏡面）を押上げるため、プッシュピース４２の操作による外蓋１６の開度を大きくすることができる。
【００２１】
従って、本実施形態では外蓋１６および内蓋２６を開動するのに、容器本体１２に開動可能に取付けた単一のプッシュピース４２の一度の押込みによって、これら外蓋１６および内蓋２６を同時に開けることができるため、レフィル容器１８のように脱着式の中皿を備えた化粧料容器１０にあっても、その開動操作を著しく簡単化することができる。
【００２２】
そして、化粧料の使用が終了した後は、まず内蓋２６を閉じた後に外蓋１６を閉じることにより、第１フック２０と第２凸部２２および第２フック３０と第２凸部３２がそれぞれ係合されて、外蓋１６および内蓋２６の閉止状態が保持される。ところで、前記内蓋２６が閉止された状態ではシール部材３４により皿部本体２４内の気密性が確実に保持される。また、前記内蓋２６および前記外蓋１６を閉じる際に、内蓋２６が完全に閉止されていない場合にあっても、外蓋１６を閉じることによりこの外蓋１６の裏面（本実施形態ではバニティミラーＭの鏡面）で内蓋２６の上面に形成した凸部２６ｃを押圧するため、この内蓋２６を確実に閉止して、内蓋２６の閉め忘れを防止することができ、皿部本体２４の気密状態を保証することができる。
【００２３】
更に、レフィル容器１８は交換可能となっているが、このレフィル容器１８を容器本体１２の脱着収納部１２ｄから取外す際には、底面１２ｂに形成した開口部４０から指とか棒状体を差込んで皿部本体２４の底部を押上げ、係合凹部３６，３６…と係合凸部３８，３８…との係合状態を解除させる。その後、仕切り壁１２ｃの凹設部１２ｆを利用してこれに指を挿入してレフィル容器１８を摘み上げることができる。
【００２４】
図７はレフィル容器１８ａの他の実施形態を示す内蓋２６を閉じた状態の斜視図で、前記実施形態と同一構成部分に同一符号を付して重複する説明を省略して述べる。
【００２５】
即ち、この実施形態のレフィル容器１８ａは、皿部本体２４の前記プッシュピース４２の第２解除部５０先端が当接する部分に、この第２解除部５０先端部の幅をもって上下方向に延びる溝５２を形成してある。
【００２６】
従って、本実施形態では前記溝５２に挿入するように第２解除部５０をより長く形成することができるため、この第２解除部５０と内蓋２６との接触部分を長くして、内蓋２６の開動操作をより確実に行うことができる。
【００２７】
図８はレフィル容器１８ｂの更に他の実施形態を示す前記図７に対応する斜視図で、前記実施形態と同一構成部分に同一符号を付して重複する説明を省略して述べる。
【００２８】
即ち、この実施形態のレフィル容器１８ｂは、前記皿部本体２４の右側前方角部に、前記第２解除部５０先端を進入させる部分から面取り部分５４を形成したもので、この実施形態にあっても前記面取り部分５４まで第２解除部５０の先端部を延長できるため、この第２解除部５０と内蓋２６との接触部分を長くして、内蓋２６の開動操作をより確実に行うことができる。
【００２９】
図９，図１０は他の実施形態を示し、前記各実施形態と同一構成部分と同一符号を付して重複する説明を省略して述べる。尚、図９は要部拡大断面図、図１０は作動状態を示す要部拡大断面図である。
【００３０】
本実施形態の化粧料容器１０では図９に示すようにプッシュピース４２の上端部から水平方向後方に延設される第１，第２解除部４８，５０に、解除タイミング調整手段としての上下方向の段差部５６を設けてある。即ち、この実施形態では第１解除部４８を上段に形成すると共に、第２解除部５０を下段に形成してある。上段の第１解除部４８はプッシュピース４２を取付けた凹設部１２ｇ内に収まる長さに設定されると共に、下段の第２解除部５０はレフィル容器１８の皿部本体２４に達する長さに設定される。
【００３１】
従って、この実施形態にあっては操作部４６を押込んでプッシュピース４２を回動すると、第１解除部４８が外蓋１６を押上げて第１フック２０の係合を解除すると共に、第２解除部５０が内蓋２６を押上げて第２フック３０の係合を解除するが、このとき第１解除部４８が第２解除部５０より上段に設定されているため、図１０に示すように外蓋１６が開かれた後、操作部４６の更なる押込みにより第１，第２解除部４８，５０の段差分に対応する時間をおいて内蓋２６が開かれる。
【００３２】
従って、前記操作部４６の押込み量によって外蓋１６と内蓋２６との二段開動が可能となり、かつ、第１，第２フック２０，３０の解除力を段階的に分散できるため、前記操作部４６を押込む時の操作力を小さくすることができる。
【００３３】
ところで、前記各実施形態においてレフィル容器１８，１８ａ，１８ｂおよび第１，第２解除部４８，５０の形態を各種開示したが、前記各実施形態では本発明の目的を達成するための一例にすぎず、レフィル容器および第１，第２解除部に前記各実施形態以外の構造を用いることができることはいうまでもない。
【００３４】
【発明の効果】
以上説明したように本発明の請求項１にかかる化粧料容器にあっては、容器本体を開閉する外蓋および容器本体内の一方の収納部に別途着脱自在に収納される中皿を開閉する内蓋とが共に閉止された状態で、容器本体に回動可能に取付けたプッシュピースの操作部を操作することにより、このプッシュピースが回動して第１，第２解除部によって第１，第２フックの係合を解除し、外蓋および内蓋の双方を開けることができる。従って、前記外蓋および前記内蓋はプッシュピースの一度の操作で一挙に開動させることができるため、二重構造となった蓋体の開動操作を著しく簡単化できる。
【００３５】
また、本発明の請求項２にかかる化粧料容器では、前記プッシュピースの第１解除部と第２解除部との間に設けた解除タイミング調整手段により、第１フックを解除した後に第２フックを解除することができるため、前記操作部の操作量によって外蓋と内蓋との二段開動が可能になると共に、第１，第２フックの解除力を段階的に分散できるため、前記操作部の操作力を小さくできるという各種優れた効果を奏する。
【図面の簡単な説明】
【図１】本発明の一実施形態を示す外蓋を開いた状態の平面図である。
【図２】本発明の一実施形態を示す外蓋を開いた容器本体からプッシュピースを取出した分解斜視図である。
【図３】本発明の一実施形態を示す内蓋を閉じて一部を破断した中皿の斜視図である。
【図４】本発明の一実施形態を示す外蓋および内蓋を閉じた状態の図１中Ａ−Ａ線に対応する拡大断面図である。
【図５】本発明の一実施形態を示す外蓋および内蓋を閉じた状態の図１中Ｂ−Ｂ線に対応する拡大断面図である。
【図６】本発明の一実施形態を示す外蓋および内蓋を開けた状態の図６に対応する断面図である。
【図７】本発明に用いられるレフィル容器の他の実施形態を示す内蓋を閉じた状態の斜視図である。
【図８】本発明に用いられるレフィル容器の他の実施形態を示す図７に対応する斜視図である。
【図９】本発明の他の実施形態を示す要部拡大断面図である。
【図１０】本発明の他の実施形態を示す作動状態の要部拡大断面図である。
【符号の説明】
１０  化粧料容器
１２  容器本体
１２ｄ  脱着収納部
１６  外蓋
１８  レフィル容器
２０  第１フック
２２  第１凸部
２４  皿部本体
２６  内蓋
３０  第２フック
３２  第２凸部
４２  プッシュピース
４６  操作部
４８  第１解除部
５０  第２解除部
５６  段差部
【図１】
0003778308.tif 000002
【図２】
0003778308.tif 000003
【図３】
0003778308.tif 000004
【図４】
0003778308.tif 000005
【図５】
0003778308.tif 000006
【図６】
0003778308.tif 000007
【図７】
0003778308.tif 000008
【図８】
0003778308.tif 000009
【図９】
0003778308.tif 000010
【図１０】
0003778308.tif 000011